【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
ユーザの操作を受け付ける操作部と、
携帯電話装置との間で局地的に双方向無線通信が可能な送受信部と、
前記携帯電話装置の着信時に、当該着信に対応した発呼者に対して応答を行うための応答データを記憶した応答データ記憶部と、
前記携帯電話装置から送信された着信告知信号を前記送受信部を介して受信した場合に、ユーザに着信があった旨を告知する着信告知部と、
前記着信告知部によって告知が行われた後、前記ユーザが前記操作部を用いて所定の操作を行った場合あるいは前記ユーザが操作を行わないで所定時間が経過した場合において、前記記憶している応答データを前記送受信部を介して前記携帯電話装置に送信する応答送信制御部と
前記携帯電話装置から受信された着信報知情報を表示する表示部と
を備えたことを特徴とする装着型無線通信装置。
【請求項２】
請求項１記載の装着型無線通信装置において、
前記応答データは、前記発呼者に通話の一時待機を促すための指示データであることを特徴とする装着型無線通信装置。
【請求項３】
請求項１記載の装着型無線通信装置において、
前記応答データは、前記発呼者に伝言メッセージを発話することを促すための指示データであることを特徴とする装着型無線通信装置。
【請求項４】
請求項３記載の装着型無線通信装置において、
前記応答送信制御部が送信した前記指示データに応じて、前記発呼者から発話された前記伝言メッセージを前記携帯電話装置から前記送受信部を介して受信した場合において、受信した前記伝言メッセージを記憶する伝言メッセージ記憶部を備えたことを特徴とする装着型無線通信装置。
【請求項５】
請求項４記載の装着型無線通信装置において、
音声を出力する音声出力部と、
前記ユーザが前記操作部を用いて行った操作に基づいて、前記伝言メッセージ記憶部によって記憶されている伝言メッセージを読み出し、読み出した前記伝言メッセージを前記音声出力部を介して音声出力する音声出力制御部と
を備えたことを特徴とする装着型無線通信装置。
【請求項６】
請求項３記載の装着型無線通信装置において、
前記応答送信制御部によって前記発呼者に対する前記指示データの提供が終了すると、前記発呼者から発話された前記伝言メッセージを蓄積する外部の伝言蓄積装置に、前記着信によって接続された通話回線を転送する旨の転送命令を前記携帯電話装置に前記送受信部を介して送信する転送命令送信制御部を備えたことを特徴とする装着型無線通信装置。
【請求項７】
請求項３記載の装着型無線通信装置において、
前記応答送信制御部によって前記発呼者に対する前記指示データの提供が終了すると、前記発呼者から発話された前記伝言メッセージを記憶する旨の記憶命令を前記携帯電話装置に前記送受信部を介して送信する記憶命令送信制御部を備えたことを特徴とする装着型無線通信装置。
【請求項８】
請求項１記載の装着型無線通信装置において、
音声を集音する集音部と、
前記ユーザが発話した音声メッセージを前記集音部によって集音させ、集音した音声メッセージを前記前記応答データとして前記応答データ記憶部に記憶させる応答データ記憶制御部と
を備えたことを特徴とする装着型無線通信装置。
【請求項９】
携帯電話装置から着信告知信号が送信された場合に、ユーザに着信があった旨を告知し、
前記告知が行われた後、前記ユーザが操作部を用いて所定の操作を行った場合あるいは前記ユーザが操作を行わないで所定時間が経過した場合において、予め記憶している応答データを前記携帯電話装置に送信し、
前記携帯電話装置から受信された着信報知情報を表示する
ことを特徴とする装着型無線通信装置の制御方法。
【請求項１０】
携帯電話装置と、前記携帯電話装置との間で局地的に双方向無線通信が可能な装着型無線通信装置と、を備えた無線通信システムの制御方法において、
電話回線側からの着信があった場合に、着信があった旨を前記装着型無線通信装置のユーザに告知させるための着信告知信号を前記携帯電話装置から前記装着型無線通信装置に送信し、
前記着信告知信号に基づいて前記装着型無線通信装置のユーザに着信があった旨を告知させ、
前記着信に対応した発呼者の電話装置と前記携帯電話装置との間の通話回線を接続することを前記電話回線側に要求し、
前記告知が行われた後、前記ユーザが操作部を用いて所定の操作を行った場合あるいは前記ユーザが操作を行わないで所定時間が経過した場合において、装着型無線通信装置が記憶している応答データを前記携帯電話装置に送信し、
前記装着型無線通信装置から応答データを受信した場合に、当該応答データを前記発呼者の電話装置に前記通話回線を介して送信し、
前記携帯電話装置から受信された着信報知情報を表示する
ことを特徴とする無線通信システムの制御方法。
【請求項１１】
記憶部および操作部を有し、コンピュータを内蔵した装着型無線通信装置を制御するための制御プログラムにおいて、
携帯電話装置から着信告知信号が送信された場合に、ユーザに着信があった旨を告知させ、
前記告知を行わせた後、前記ユーザが前記操作部を用いて所定の操作を行った場合あるいは前記ユーザが操作を行わないで所定時間が経過した場合において、予め記憶されている応答データを前記携帯電話装置に送信させ、
前記携帯電話装置から受信された着信報知情報を表示させる
ことを特徴とする制御プログラム。
【請求項１２】
コンピュータを内蔵した携帯電話装置を制御するための制御プログラムにおいて、
電話回線側からの着信があった場合に、着信があった旨を装着型無線通信装置のユーザに告知させ、
前記着信に対応した発呼者の電話装置と当該携帯電話装置との間の通話回線を接続することを前記電話回線側に要求させ
前記装着型無線通信装置から応答データを受信した場合に、当該応答データを前記発呼者の電話装置に前記通話回線を介して送信させる
ことを特徴とする制御プログラム。
【請求項１３】
請求項１２記載の制御プログラムにおいて、
前記発呼者の電話装置から前記通話回線を介して送信されてきた音声メッセージを、前記装着型無線通信装置に送信させることを特徴とする制御プログラム。
【請求項１４】
請求項１１ないし請求項１３のいずれかに記載の制御プログラムを記録したことを特徴とする記録媒体。
【手続補正２】
【補正対象書類名】明細書
【補正対象項目名】０００４
【補正方法】変更
【補正の内容】
【０００４】
【課題を解決するための手段】
上記課題を解決するため、装着型無線通信装置は、ユーザの操作を受け付ける操作部と、携帯電話装置との間で局地的に双方向無線通信が可能な送受信部と、携帯電話装置の着信時に、当該着信に対応した発呼者に対して応答を行うための応答データを記憶した応答データ記憶部と、携帯電話装置から送信された着信告知信号を送受信部を介して受信した場合に、ユーザに着信があった旨を告知する着信告知部と、着信告知部によって告知が行われた後、ユーザが操作部を用いて所定の操作を行った場合あるいはユーザが操作を行わないで所定時間が経過した場合において、記憶している応答データを送受信部を介して携帯電話装置に送信する応答送信制御部と、携帯電話装置から受信された着信報知情報を表示する表示部とを備えたことを特徴としている。
上記構成によれば、携帯電話装置から送信された着信告知信号を送受信部を介して受信した場合に、ユーザに着信があった旨を告知し、この告知が行われた後、ユーザが操作部を用いて所定の操作を行った場合あるいはユーザが操作を行わないで所定時間が経過した場合において、記憶している応答データを送受信部を介して携帯電話装置に送信する。従って、ユーザは、携帯電話装置を操作することなく、着信応答を行うことができる。
【手続補正３】
【補正対象書類名】明細書
【補正対象項目名】００１０
【補正方法】変更
【補正の内容】
【００１０】
また、装着型通信装置の制御方法は、携帯電話装置から着信告知信号が送信された場合に、ユーザに着信があった旨を告知し、告知が行われた後、ユーザが操作部を用いて所定の操作を行った場合あるいはユーザが操作を行わないで所定時間が経過した場合において、記憶部に記憶している応答データを携帯電話装置に送信し、携帯電話装置から受信された着信報知情報を表示することを特徴としている。
従って、ユーザは、携帯電話装置を操作することなく、着信応答を行うことができる。
【手続補正４】
【補正対象書類名】明細書
【補正対象項目名】００１２
【補正方法】変更
【補正の内容】
【００１２】
また、携帯電話装置と、携帯電話装置との間で局地的に双方向無線通信が可能な装着型無線通信装置と、を備えた無線通信システムの制御方法において、電話回線側からの着信があった場合に、着信があった旨を装着型無線通信装置のユーザに告知させるための着信告知信号を携帯電話装置から装着型無線通信装置に送信し、着信告知信号に基づいて装着型無線通信装置のユーザに着信があった旨を告知させ、着信に対応した発呼者の電話装置と携帯電話装置との間の通話回線を接続することを電話回線側に要求し、告知が行われた後、ユーザが操作部を用いて所定の操作を行った場合あるいはユーザが操作を行わないで所定時間が経過した場合において、装着型無線通信装置が記憶している応答データを携帯電話装置に送信し、装着型無線通信装置から応答データを受信した場合に、当該応答データを発呼者の電話装置に通話回線を介して送信し、携帯電話装置から受信された着信報知情報を表示することを特徴としている。
従って、ユーザは、携帯電話装置を操作することなく、着信応答を行うことができる。
【手続補正５】
【補正対象書類名】明細書
【補正対象項目名】００１３
【補正方法】変更
【補正の内容】
【００１３】
また、記憶部および操作部を有し、コンピュータを内蔵した装着型無線通信装置を制御するための制御プログラムは、携帯電話装置から着信告知信号が送信された場合に、ユーザに着信があった旨を告知させ、告知を行わせた後、ユーザが操作部を用いて所定の操作を行った場合あるいはユーザが操作を行わないで所定時間が経過した場合において、予め記憶されている応答データを携帯電話装置に送信させ、携帯電話装置から受信された着信報知情報を表示させることを特徴としている。
また、コンピュータを内蔵した携帯電話装置を制御するための制御プログラムは、電話回線側からの着信があった場合に、着信があった旨を装着型無線通信装置のユーザに告知させ、着信に対応した発呼者の電話装置と当該携帯電話装置との間の通話回線を接続することを電話回線側に要求させ装着型無線通信装置から応答データを受信した場合に、当該応答データを発呼者の電話装置に通話回線を介して送信させ、携帯電話装置から受信された着信報知情報を表示させることを特徴としている。
この場合において、発呼者の電話装置から通話回線を介して送信されてきた応答データを、装着型無線通信装置に送信させるようにしてもよい。
また、制御プログラムを記録媒体に記録するようにしてもよい。